(57)【要約】【課題】  本発明は、部品点数を抑えるとともに、奥行き感・立体感を得ることができ、また斬新な見映えを実現できる指示計器を提供することを目的とするものである。【解決手段】  指針２と、表示板５と、光源８と、を備えてなる指示計器において、表示板５の表面には、指針２の指示部が指し示す外郭周縁領域ＡＲ１に設けられた透過性の表示層３Ａからなる指標部３と、指標部３の領域を除く表示板５の外郭周縁領域ＡＲ１の表面に遮光性の地色層４Ａからなる地色部４と、を有し、表示板５の外郭周縁領域ＡＲ１より内側に位置した表示板５の表面側の中央部領域ＡＲ２には、光源８からの光を表示板５の前面側へと案内するための複数の傾斜面５１Ａを持つ凹凸部５１を有し、表示板５の裏面には、凹凸部５１と対応する中央部領域ＡＲ２に濃淡の表示色層からなるグラデーション表示層Ｇ１を有してなることを特徴とする指示計器。【選択図】  図３
2014119252.tif 000002
【特許請求の範囲】
【請求項１】
計器本体に設けられた回転軸の先端側に取り付けられた指針と、この指針の回動指示する位置に対応して、透光性の基板に遮光性の地色層による地色部の領域と目盛・文字などの透過性の表示層による指標部の領域とが施された表示板と、この表示板の背後側に設けられた光源と、を備えてなる指示計器において、前記表示板の表面には、前記指針の指示部が指し示す外郭周縁領域に設けられた透過性の表示層からなる前記指標部と、前記指標部の領域を除く前記表示板の前記外郭周縁領域の表面に遮光性の地色層からなる前記地色部と、を有し、前記表示板の前記外郭周縁領域より内側に位置した前記表示板の表面側の中央部領域には、前記光源からの光を前記表示板の前面側へと案内するための複数の傾斜面を持つ凹凸部を有し、前記表示板の裏面には、前記凹凸部と対応する前記中央部領域に濃淡の表示色層からなるグラデーション表示層を有してなることを特徴とする指示計器。
【請求項２】
前記凹凸部の凸部の頂点位置を前記表示板の表面と同一あるいは表面より奥まった位置に設定してなることを特徴とする請求項１に記載の指示計器。
【請求項３】
前記表示板裏面の前記中央部領域には、背景色となる透過性の背景地色層を形成してなることを特徴とする請求項１または請求項２に記載の指示計器。
【請求項４】
前記グラデーション表示層は、透過性の表示色層からなることを特徴とする請求項１から請求項３のいずれか１項に記載の指示計器。
【請求項５】
前記グラデーション表示層は、遮光性の表示色層からなることを特徴とする請求項１から請求項３のいずれか１項に記載の指示計器。
【発明の詳細な説明】
【技術分野】
【０００１】
本発明は、光源からの照射光線で表示板などを透過照明表示する指示計器に関するものである。
【背景技術】
【０００２】
従来、例えば建設機械などの特殊車輌や船舶、あるいは自動車、オートバイ等の指示計器として、速度計，回転計や燃料計などの運転状況を指示する指針式の指示計器が設けられている。
【０００３】
光源からの照射光線で表示板を透過照明表示する従来の指示計器として、例えば特許文献１などによって知られているように、透過照明可能な目盛や文字などからなる表示部が施された文字板（表示板）と、その文字板の背後に光源の光を拡散、均一化して文字板の裏面に入射させるための拡散板を配置し、文字板の背面側にグラデーション印刷による透過光調整層を施すことにより、奥行き感を感じさせる透過照明式の指示計器が提案されている。
【０００４】
【特許文献１】特開平９−９６５４６号公報
【発明の開示】
【発明が解決しようとする課題】
【０００５】
しかしながら前述の特許文献１による指示計器にあっては、照明時においてグラデーション印刷による明暗表示であるため、文字板全体を見た場合、グラデーション印刷によって濃淡表示されたりあるいは光源により明暗照明されるなど見映えが良くなるものの、文字板自体の奥行き感、立体感に欠けるという側面がある。加えて、文字板以外にも拡散板などの部材が必要となり、部品点数が増え、かつコストも高くなるといった問題点もあった。
【０００６】
そこで本発明は、前述の問題点に着目し、部品点数を抑えるとともに、奥行き感・立体感を得ることができ、また斬新な見映えを実現できる指示計器を提供することを目的とするものである。
【課題を解決するための手段】
【０００７】
本発明は前述した課題を解決するため、請求項１では、計器本体に設けられた回転軸の先端側に取り付けられた指針と、この指針の回動指示する位置に対応して、透光性の基板に遮光性の地色層による地色部の領域と目盛・文字などの透過性の表示層による指標部の領域とが施された表示板と、この表示板の背後側に設けられた光源と、を備えてなる指示計器において、前記表示板の表面には、前記指針の指示部が指し示す外郭周縁領域に設けられた透過性の表示層からなる前記指標部と、前記指標部の領域を除く前記表示板の前記外郭周縁領域の表面に遮光性の地色層からなる環状に施された前記地色部と、を有し、前記表示板の前記外郭周縁領域より内側に位置した前記表示板の表面側の中央部領域には、前記光源からの光を前記表示板の前面側へと案内するための複数の傾斜面を持つ凹凸部を有し、前記表示板の裏面には、前記凹凸部と対応する前記中央部領域に濃淡の表示色層からなるグラデーション表示層を有してなることを特徴とする指示計器である。
【０００８】
このように構成することによって、指針の指示状態を表示板の外郭周縁領域に設けられた指標部にて良好に指示状態を判別することができるとともに、表示板の表面に設けられた環状からなる地色部を施していない中央部領域箇所の表示板の表面側に複数の傾斜面を持つ凹凸部を設けてなることによって、表示板の表面の中央部領域が立体的に見えるものであり、また表示板の裏面にグラデーション表示層が施されているため、凹凸部の形状に合わせて視線方向に応じてグラデーション表示層が屈折，拡散，反射されて見えたりするものであり、見映えが良好となる。この際、地色部箇所の境目と表示板の中央箇所との間において表示板の肉厚寸法が段差として見えるため、奥行き感が強調され、しかもグラデーション表示層の濃淡を基調として前面側に設けられた凹凸部との組み合わせによってさらに見映えも良好となる指示計器を提供できる。
また、光源による表示板の照明時においては、外郭周縁領域では表示板の遮光性の地色部を背景にして指標部をくっきりと透過照明することができ、また中央部領域においては表示板の肉厚寸法が段差として見えると同時に、グラデーション表示層の濃淡に応じて透過照明された光が表示板の前面側に設けられた凹凸部へと導かれることにより、凹凸部の形状に合わせて視線方向に応じてグラデーション表示層が屈折，拡散，反射された光が目に届くため奥行き感が強調されて光り輝いて見える。また、従来のような拡散板を表示板の背後に配置することなく綺麗な照明効果を得ることができるため、コストも抑えながら立体的で見映えの良好な指示計器を構成することができる。
【０００９】
また請求項２では、前記凹凸部の凸部の頂点位置を前記表示板の表面と同一あるいは表面より奥まった位置に設定してなることを特徴とする請求項１に記載の指示計器である。
【００１０】
このように構成することによって、表示板の表面と同じ高さの凸部あるいは表示板の表面より奥まった箇所に凸部を設けることで、表示板の表面側に地色部や指標部などを簡単に印刷を施すことが可能となる。
【００１１】
また請求項３では、前記表示板裏面の前記中央部領域には、背景色となる透過性の背景地色層を形成してなることを特徴とする請求項１または請求項２に記載の指示計器である。
【００１２】
このように構成することにより、背景地色層の色合いとグラデーション表示層との色合いが複数の凹凸部を介して見えることとなり、さらに見映えが良好となるものであり、これにより斬新な指示計器を提供することができる。
【００１３】
また請求項４では、前記グラデーション表示層は、透過性の表示色層からなることを特徴とする請求項１から請求項３のいずれか１項に記載の指示計器である。
【００１４】
このように構成することにより、表示板の背面に施された背景地色層とともにグラデーション表示層も透過照明される際に、凹凸部を介して明るくグラデーション表示層の濃淡状態に合わせて透過照明され、奥行き感とともに明暗表示と相まって、斬新な見映えを実現できる指示計器を提供することができる。
【００１５】
また請求項５では、前記グラデーション表示層は、遮光性の表示色層からなることを特徴とする請求項１から請求項３のいずれか１項に記載の指示計器である。
【００１６】
このように構成することにより、表示板の背面に施されたグラデーション表示層が遮光性の背景地色層によって形成されるため、表示板の透過照明される際においては、凹凸部を介してグラデーション表示層の濃淡状態（粗密状態）に合わせてシルエットとして浮かび上がって見えるため、奥行き感に加えて明暗によるボカシ効果も強調した透過照明を得ることが期待できる。
【発明の効果】
【００１７】
本発明では、計器本体に設けられた回転軸の先端側に取り付けられた指針と、この指針の回動指示する位置に対応して、透光性の基板に遮光性の地色層による地色部の領域と目盛・文字などの透過性の表示層による指標部の領域とが施された表示板と、この表示板の背後側に設けられた光源と、を備えてなる指示計器において、前記表示板の表面には、前記指針の指示部が指し示す外郭周縁領域に設けられた透過性の表示層からなる前記指標部と、前記指標部の領域を除く前記表示板の前記外郭周縁領域の表面に遮光性の地色層からなる環状に施された前記地色部と、を有し、前記表示板の前記外郭周縁領域より内側に位置した前記表示板の表面側の中央部領域には、前記光源からの光を前記表示板の前面側へと案内するための複数の傾斜面を持つ凹凸部を有し、前記表示板の裏面には、前記凹凸部と対応する前記中央部領域に濃淡の表示色層からなるグラデーション表示層を有してなることを特徴とする指示計器であるため、指針の指示状態を表示板の外郭周縁領域に設けられた指標部にて良好に指示状態を判別することができるとともに、表示板の表面に設けられた環状からなる地色部を施していない中央部領域箇所の表示板の表面側に複数の傾斜面を持つ凹凸部を設けてなることによって、表示板の表面の中央部領域が立体的に見えるものであり、また表示板の裏面にグラデーション表示層が施されているため、凹凸部の形状に合わせて視線方向に応じてグラデーション表示層が屈折，拡散，反射されて見えものであり、見映えが良好となる。この際、地色部箇所の境目と表示板の中央箇所との間において表示板の肉厚寸法が段差として見えるため、奥行き感が強調され、しかもグラデーション表示層の濃淡を基調として前面側に設けられた凹凸部との組み合わせによってさらに見映えも良好となる指示計器を提供できる。また、光源による表示板の照明時においては、外郭周縁領域では表示板の遮光性の地色部を背景にして指標部をくっきりと透過照明することができ、また中央部領域においては表示板の肉厚寸法が段差として見えると同時に、グラデーション表示層の濃淡に応じて透過照明された光が表示板の前面側に設けられた凹凸部へと導かれることにより、凹凸部の形状に合わせて視線方向に応じてグラデーション表示層が屈折，拡散，反射された光が目に届くため奥行き感が強調されて光り輝いて見える。また、従来のような拡散板を表示板の背後に配置することなく綺麗な照明効果を得ることができるため、コストも抑えながら立体的で見映えの良好な指示計器を構成することができる。
【図面の簡単な説明】
【００１８】
【図１】本発明の第１の実施形態である車両用の指示計器を示す正面図である。
【図２】図２は、図１の指示計器の全体構造を示す断面図である。
【図３】図３は、図１の指示計器の要部箇所を示す正面図およびその断面図である。
【図４】図４は、図３の表示板の裏側を示す背面図である。
【図５】図５は、本発明の第２の実施形態である指示計器の要部箇所を示す正面図およびその断面図である。
【発明を実施するための最良の形態】
【００１９】
本発明の対象とする指示計器として車両用の指示計器を例にして詳述する。以下本発明の実施形態を添付図面に基づいて説明する。
【００２０】
図１から図４は本発明の指示計器の第１の実施形態を示すもので、計器本体１の回転軸１Ａの先端側に固定され、回転軸１Ａを中心に回転する指針２と、この指針２の背面側に位置し透過照明される目盛や数字や記号などの表示層３Ａからなる指標部３および遮光性の地色層４Ａからなる地色部４が施された表示板５と、この表示板５の背面側に位置するガラスエポキシ樹脂からなる硬質の回路基板６と、この回路基板６上に設けられ、それぞれ指針２と表示板５を照明する光源である発光ダイオード７，８と、指針２を照明するための発光ダイオード７と表示板５側の指標部３箇所を照明するための照明領域を区画する合成樹脂製の枠体９に設けられた円筒形の仕切壁９Ａと、によってそれぞれ照明する区域を区画して構成している。なお、前記回路基板６の背後には前記回転軸１Ａを回動する計器本体１が取付固定されている。
【００２１】
指針２は、表示板５に設けられた指標部３を指し示す指示部２０と回転軸１Ａに固定される指針基部２１が透明な合成樹脂で一体に形成されており、指針基部２１は遮光性の合成樹脂からなる指針キャップ２２で覆われている。この際、指示部２０は発光ダイオード７の光を受けて発光するものである。
【００２２】
表示板５は透明な合成樹脂からなる平板状の基板５０からなり、その表面（図中上側の面）に、目盛や数字あるいは記号などの指標部３箇所に透過性のインク例えば白色の表示層３Ａを形成し、その指標部３の領域を除いて表示板５の表面側の外郭周縁箇所にドーナツ状からなる遮光性の黒色の地色層４Ａが施されている。
【００２３】
また指針発光用としての発光ダイオード７は枠体９から一体に設けられた円筒形の仕切壁９Ａの内側に位置し、回転軸１Ａの近傍に回転軸１Ａを中心として円形状に取り巻いて複数設けられ、この発光ダイオード７の照射光線を円筒形の仕切壁９Ａを介して指針２の指針基部２１から指示部２０側へと導くようにしている。
【００２４】
また、表示板５の指標部３を透過照明する発光ダイオード８は円筒形の仕切壁９Ａの外側を円形状に取り巻いて複数設けられ、この発光ダイオード８からの照射光線を直接的に表示板５に設けた指標部３を透過照明したり、あるいは発光ダイオード８からの照射光線を間接的に表示板５の指標部３側へと導くために枠体９から一体に設けられたライトケース９Ｂの内面にて反射導光するように形成している。
【００２５】
この場合、ライトケース９Ｂの内面側の周辺部には反射面９Ｃが形成され、この反射面９Ｃは、表示板５側に向けて湾曲しており、その反射面９Ｃの内面部分によって発光ダイオード８からの射出された光線を指標部３側に反射拡散するように構成している。反射面９Ｃの断面形状を曲面とすることにより、反射した光が指標部３方向に効率よく反射拡散することができるようにしている。
【００２６】
また本実施形態では、表示板５の表面には、指針２の指示部２０が指し示す外周縁領域ＡＲ１側に設けられた透過性の表示層３Ａからなる指標部３と、指標部３の領域を除く表示板５の外郭周縁部分の表面に遮光性の地色層４Ａからなる地色部４が施されている。また、指標部３の領域と地色部４とによる環状からなる外郭周縁領域ＡＲ１を除く表示板５の表面側に設けられた円形状からなる中央部領域ＡＲ２には、光源となる発光ダイオード８からの光を表示板５の基板５０の前面側へと屈折，拡散，反射などによって案内するための複数の傾斜面５１Ａを持つ凹凸部５１が形成されている。
【００２７】
なお、本実施形態における凹凸部５１は、その凹凸部５１の凸部の頂点位置を表示板５の表面と同一あるいは表面より奥まった位置に設定している。
【００２８】
また、表示板５の裏面には、表示板５の中央部領域ＡＲ２に設けられた凹凸部５１と対応する円形状からなる中央部領域ＡＲ２に、例えば青色系の透過性のドット印刷による濃淡の表示色層からなるグラデーション表示層Ｇ１が施され、このグラデーション表示層Ｇ１の背後側に背景色となる例えば白色による透過性の背景地色層４００が施されている。
【００２９】
本実施形態における凹凸部５１としては、図１や図３などに示されているように、ダイヤカット模様からなる傾斜面５１Ａを有する凹凸部５１として形成している。
【００３０】
また本実施形態のグラデーション表示層Ｇ１は、回転軸１Ａを基点として外側に向けて濃淡が徐々に淡くなるように形成されている。この濃淡としてはドットの密度あるいはドットの大きさの変化などによって設定している。
【００３１】
このように構成された本実施形態における指示計器では、指針２の指示状態を表示板５の外郭周縁領域ＡＲ１に設けられた指標部３にて良好に指示状態を判別することができるとともに、表示板５の表面に設けられた環状からなる地色部４を施していない中央部箇所（中央部領域ＡＲ２）の表示板５の表面に形成された複数の傾斜面５１Ａからなる凹凸部５１（ダイヤカット模様から凹凸部５１）によって表示板５の表面が立体的に見え、凹凸部５１の表面反射によって煌びやかに見えるものであり、見映えが良好であり、斬新な指示計器を提供することができる。
【００３２】
また、表示板５の裏面にグラデーション表示層Ｇ１と、そのグラデーション表示層Ｇ１の背面側に背景色となる背景地色層４００を設けてなることによって、凹凸部５１を介して地色部４箇所の境目と表示板５の中央部箇所（中央部領域ＡＲ２）との間において表示板５の肉厚寸法がそのまま段差として見えるため奥行き感が強調され、しかも背景となる表示板５の裏面に設けられた背景地色層４００の表面側に設けられたグラデーション表示層Ｇ１の濃淡によってさらに見栄えも良好となる指示計器を提供することができる。すなわち、凹凸部５１の形状に合わせて視線方向に応じてグラデーション表示層Ｇ１が屈折，拡散，反射されて見えるものであり、グラデーション表示層Ｇ１の濃淡を基調として前面側に設けられた凹凸部５１との組み合わせによってさらに見映えが良好となる。
【００３３】
本実施形態における指示計器の照明時においては、指針発光用としての発光ダイオード７から照射される光線は、前述したように枠体９から一体に設けた円筒形の仕切壁９Ａの内部側にて導かれ、指針２に設けられた指針基部２１へと入光し、反射面などを介して指示部２０へと導かれて指示部２０が発光する。
【００３４】
また指示計器の照明時において発光ダイオード８から照射される光線は、その発光ダイオード８からの直接光による照射光線と、枠体９と一体に形成されたライトケース９Ｂの内面（反射面９Ｃなど）にて反射導光された照射光線によって表示板５の背面側へと導かれ、表示板５の外郭周縁領域ＡＲ１では表示板５の遮光性の地色部４を背景にして指標部３をくっきりと透過照明することができ、また中央部領域ＡＲ２においては表示板５の肉厚寸法が段差として見えると同時に、グラデーション表示層Ｇ１の濃淡に応じて透過照明された光が表示板５の前面側に設けられた複数の傾斜面５１Ａからなる凹凸部５１へと導かれることにより、凹凸部５１の形状に合わせて視線方向に応じてグラデーション表示層Ｇ１が屈折，拡散，反射された光が目に届くため奥行き感が強調されて光り輝いて見える。なお、従来のような拡散板を表示板の背後に配置することなく綺麗な照明効果を得ることができるため、コストも抑えながら立体的で見映えの良好な指示計器を構成することができる。
【００３５】
またグラデーション表示層Ｇ１は、回転軸１Ａを基点として外側に向けて濃淡が徐々に淡くなるように形成してなることによって、指針２の回動支点である回転軸１Ａを基点として同心円状にして外側に行くに従い漸次明るさが明るくなるように背景地色層４００を透過照明することが可能となり、表示板５の表面側に施してある地色部４との境目を強調することもできるものであり、これにより奥行き感もさらに強調することができる。
【００３６】
また凹凸部５１の凸部の頂点位置を表示板５の表面と同一あるいは表面より奥まった位置に設定してなることにより、表示板５の表面側に地色部４や指標部３などを簡単に印刷を施すことが可能となる。
【００３７】
なお、本実施形態においては、発光式の指針照明として構成しているために、指針２に設けられた指針基部２１から表示板５の表面側に光洩れがあったとしても、指針基部２１周りの表示板５箇所に凹凸部５１が形成されているために、凹凸部５１に形成された傾斜面５１Ａに光が当たり、照明効果をさらに強調することが可能となる。
【００３８】
図５は本発明の第２の実施形態を示すもので、前述した第１の実施形態と同一部分、均等部箇所については同一符号を付して説明する。
【００３９】
同図において、第１の実施形態と同様にして、表示板５は透明な合成樹脂からなる平板状の基板５０からなり、その表面（図中上側の面）に、目盛や周囲あるいは記号などの指標部３箇所に例えば白色の表示層３Ａを形成し、その指標部３箇所を除いて表示板５の表面側の外郭周縁領域ＡＲ１箇所にドーナツ状（環状）からなる遮光性の黒色の地色層４Ａを施している。
【００４０】
そして本実施形態においては、指標部３の領域と地色部４とによる環状からなる外郭周縁領域ＡＲ１を除く表示板５の裏面側に設けられた円形状からなる中央部領域ＡＲ２に、例えば黒色の遮光性のドット印刷による濃淡の表示色層からなるグラデーション表示層Ｇ２が施され、このグラデーション表示層Ｇ２の背後側に背景色となる例えば青色による透過性の背景地色層４００Ａが施されている。
【００４１】
本実施形態のグラデーション表示層Ｇ２は、回転軸１Ａを基点として外側に向けて濃淡が徐々に淡くなるように形成されている。この濃淡としてはドットの密度あるいはドットの大きさの変化などによって設定している。
【００４２】
また、指標部３の領域と地色部４とによる環状からなる外郭周縁領域ＡＲ１を除く表示板５の表面側に設けられた円形状からなる中央部領域ＡＲ２には、光源となる発光ダイオード８からの光を表示板５の基板５０の前面側へと屈折，拡散，反射などによって案内するための複数の傾斜面５１１を持つ凹凸部５１０が形成されている。
【００４３】
本実施形態における凹凸部５１０としては、回転軸１Ａを基点として同心円状に凸部と凹部とによる傾斜面５１１が交互に形成された同心円状模様からなる凹凸部５１０として形成している。
【００４４】
上記構成からなる表示板５にあっては、前述した第１の実施形態とほぼ同様にして、指針２の指示状態を表示板５の外郭周縁領域ＡＲ１に設けられた指標部３にて良好に指示状態を判別することができるとともに、表示板５の表面に設けられた環状からなる地色部４を施していない中央部箇所（中央部領域ＡＲ２）の表示板５の表面に形成された複数の傾斜面５１１からなる凹凸部５１０（凸部と凹部とからなる複数の傾斜面５１１が交互に形成された同心円状模様の凹凸部５１０）によって表示板５の表面が立体的に見え、凹凸部５１０の表面反射によって煌びやかに見えるものであり、見映えが良好であり、斬新な指示計器を提供することができる。
【００４５】
表示板５の表面に設けられた環状からなる地色部４を施していない中央部箇所（中央部領域ＡＲ２）の表示板５の裏面に、黒色の遮光性のドット印刷による濃淡の表示色層からなるグラデーション表示層Ｇ２と、そのグラデーション表示層Ｇ２の背面側に青色の透過性の背景色となる背景地色層４００Ａを設けてなることによって、地色部４箇所の境目と表示板５の中央部箇所（中央部領域ＡＲ２）との間において表示板５の肉厚寸法がそのまま段差として見えるため、奥行き感が強調され、しかも背景となる表示板５の裏面に設けられた背景地色層４００Ａの表面側に設けられたグラデーション表示層Ｇ２の濃淡によってさらに見栄えも良好となる指示計器を提供することができる。すなわち、同心円状からなる凹凸部５１０の形状に合わせて視線方向に応じてグラデーション表示層Ｇ２が屈折，拡散，反射されて見えるものであり、グラデーション表示層Ｇ２の濃淡を基調として前面側に設けられた凹凸部５１０との組み合わせによってさらに見映えが良好となる。
【００４６】
この場合、表示板５は表面側に施した黒色からなる遮光性の地色層４Ａと、表示板５の背面側に施した遮光性の黒色からなるグラデーション表示層Ｇ２とを同系色に合わせることによって表示板５全体を黒色系に統一して表示することができ、落ち着いた色合いにて表示板５全体を表示することができる。
【００４７】
また指示計器の照明時において発光ダイオード８から照射される光線は、前述した第１の実施形態と同様にして、発光ダイオード８からの直接光による照射光線と、枠体９と一体に形成されたライトケース９Ｂの内面（反射面９Ｃなど）にて反射導光された照射光線によって表示板５の背面側へと導かれ、表示板５の外郭周縁領域ＡＲ１では表示板５の遮光性の地色部４を背景にして指標部３が白色でくっきりと透過照明される。
【００４８】
また表示板５の中央部領域ＡＲ２においては、表示板５の背面に施された遮光性の黒色からなるグラデーション表示層Ｇ２が透過性の背景地色層４００Ａによって透過照明される際に、シルエットとして浮かび上がって見え、しかもグラデーション表示層Ｇ２の濃淡状態に合わせてシルエットとして浮かび上がって見えるため、奥行き感に加えて明暗によるボカシ効果も強調した透過照明を得ることが期待できるものであり、しかも指針２の回転軸１Ａを基点として外側に向けて濃淡が徐々に淡くなるようにグラデーション表示層Ｇ２形成してなることにより、同心円状にして外側に行くに従い漸次明るさが明るくなるように背景地色層４００Ａを透過照明することが可能となり、同心円状の凹凸部５１０と相まって表示板５の表面側に施してある地色部４との境目を強調することもできるものであり、これにより奥行き感もさらに強調することができる。
【００４９】
また前述した各実施形態においては、複数のダイヤカット模様からなる傾斜面５１Ａを有する凹凸部５１あるいは凸部と凹部とからなる複数の傾斜面５１１が交互に形成された同心円状模様の凹凸部５１０を例に説明したが、複数の亀甲模様からなる傾斜面を有する凹凸部や複数の三角錐などの反射面を有する凹凸部など凹凸部の形状は任意に設定すればよいものである。
【００５０】
なお本発明は、前記実施形態に限定されるものではなく本発明の要旨の範囲内において種々の変形実施が可能であり、例えば表示板５に設けた指標部３やグラデーション表示層Ｇ１，Ｇ２による図柄を介して照明される照明色を変更する場合、光源である発光ダイオード８の発光色を変更したりあるいは着色フィルタを介して透過照明することにより、照明色を適宜設定することも可能である。また指標部３としては、実施形態においては白色の透過性の表示層を設けていたが、透過性のスモーク印刷層からなる表示層を設けてもよいものであり、表示層の色合いも任意に設定すればよいものである。また奥行き感を出すために、色合いを変更したり、表示板５の板厚を変更したり、あるいはグラデーションによる図柄（実施形態ではドット印刷により形成）を変更することにより立体感を強調することが可能となるものである。この場合、グラデーションによる図柄として丸形状に限らず格子状の模様や亀甲模様などにて濃淡度の度合いが変化するように設定することによりデザイン性に優れ、加えて照明ムラのない透過照明を行うことが可能となる。また、指針２を発光照明する必要のない指示計器であれば、発光ダイオード７を設ける必要はなく、表示板５専用の発光ダイオード８のみ設ける構成としても良い。
【産業上の利用可能性】
【００５１】
また、前述した実施形態において詳述したように、自動車などの車両用の指示計器を例にして説明したが、車両用計器に限らず船舶用計器あるいは農業用機械や建設機械などの特殊車両の指示計器などにおいても適用することが可能である。
【符号の説明】
【００５２】
ＡＲ１    外郭周縁領域
ＡＲ２    中央部領域
Ｇ１，Ｇ２    グラデーション表示層
１    計器本体
１Ａ    回転軸
２    指針
３    指標部
３Ａ    表示層
４    地色部
４Ａ    地色層
５    表示板
６    回路基板
７，８    発光ダイオード（光源）
９    枠体
９Ａ    仕切壁
９Ｂ    ライトケース
９Ｃ    反射面
２０    指示部
２１    指針基部
２２    指針キャップ
５０    基板
５１，５１０    凹凸部
５１Ａ，５１１    傾斜面
４００，４００Ａ    背景地色層
【図１】
2014119252.tif 000003
【図２】
2014119252.tif 000004
【図３】
2014119252.tif 000005
【図４】
2014119252.tif 000006
【図５】
2014119252.tif 000007